(57)【要約】【課題】  患者の氏名を隠した状態でも救護区分を見易く表示しつつ、患者の氏名を確認するためにカバーをスライドさせる量をできるだけ小さくすることを目的とする。【解決手段】  ネームプレート４ａ〜４ｄに表示された患者の氏名を隠す第一の位置と隠さない第二の位置との間をスライドし、救護区分を示す救護区分プレート５ａ〜５ｄと、救護区分プレート５ａ〜５ｄをスライドさせるレバー部７とを備え、スライドする方向に隣接しているネームプレート４ａ，４ｃおよびネームプレート４ｂ，４ｄの間隔を少なくとも救護区分プレート５ａ，ｄの幅よりも大きくするようにしている。これにより、患者の氏名を隠す救護区分プレート５ａ〜５ｄがネームプレート４ａ〜４ｄの患者の氏名の表示部分と略同じ大きさに形成され、救護区分プレート５ａ〜５ｄの幅程度スライドさせられる。【選択図】        図１
2008293386.tif 000002
【特許請求の範囲】
【請求項１】
一方の面が壁面に取り付けられ、患者の氏名を表示する複数の患者氏名表示部を他方の面に持つベース部と、
前記患者氏名表示部に表示された前記患者の氏名を隠す第一の位置と前記患者の氏名を隠さない第二の位置との間をスライドし、少なくとも前記患者の氏名を隠す大きさであり、救護区分を示す前記患者氏名表示部と同数の救護区分プレートと、
前記救護区分プレートを前記第一の位置と前記第二の位置との間でスライドさせるレバー部と、
前記救護区分プレートが前記レバー部と連動して動作し、前記救護区分プレートが前記第二の位置にある場合に、前記患者の氏名を隠さないように前記救護区分プレートと前記レバー部とを連結する連結部とを備え、
前記ベース部は、前記救護区分プレートがスライドする方向に隣接している患者氏名表示部の間隔を少なくとも前記救護区分プレートの幅よりも大きく形成することを特徴とする廊下灯。
【請求項２】
前記ベース部の前記他方の面に前面パネルを設け、前記前面パネルは、少なくとも前記患者氏名表示部に対向する部分を開口したことを特徴とする請求項１に記載の廊下灯。
【発明の詳細な説明】
【技術分野】
【０００１】
本発明は、病院などの施設における病室の出入口の近傍に設けられ、病室の番号や患者の氏名などを表示する廊下灯に関する。
【背景技術】
【０００２】
従来、病院などの施設では、患者の居る病室の出入口近傍に廊下灯を設けている。この廊下灯には、廊下灯を設けた病室の番号やその病室に居る患者の氏名などが表示されている。また、廊下灯は、ナースセンターなどに設置されたナースコール親機と連動している。病室内のベッド近傍に設置されたナースコール子機により患者が呼出しを行うと、ナースコール子機は、ナースコール親機や看護師が携帯する無線端末装置に呼出しを通知すると共に、廊下灯を点灯させる。また、看護師などの医療従事者は、廊下灯の点灯によって、呼出しを行った患者が居る病室を特定することができる。
【０００３】
ところで、廊下灯に表示される患者の氏名について、プライバシー保護の観点から改善の要望がある。これに対して、廊下灯の患者の氏名が表示されている表面部分にスライド式のカバーを取り付け、必要に応じて医療従事者がカバーをスライドさせることで、通常はカバーにより隠されている患者の氏名を医療従事者が確認できるようにする技術が知られている（例えば、特許文献１、特許文献２など）。
【特許文献１】特開２００４−９４７６４号公報
【特許文献２】特開２００７−９４６０８号公報
【０００４】
しかしながら、この特許文献１および特許文献２に記載の技術では、通常の状態で廊下灯の表面の殆どがカバーにより覆われているので、医療従事者が患者の氏名を確認する場合にカバーをスライドさせる量が大きくなってしまうとう問題があった。特に、廊下灯を設けた病室内に複数の患者居が居る場合には、それが顕著となっていた。そのため、スライドさせたカバーが他の機器に当たらないように、廊下灯や他の機器の設置位置を調整しなければならないという問題があった。
【０００５】
また、特許文献１に記載の技術では、廊下灯の表面をカバーにより覆っている状態では、救護区分が隠れてしまうため、救護区分を視認させることができないという問題があった。ここで、救護区分とは、災害などの緊急時における患者の区分を示すものである。一般的に、救護区分は、担架などで搬送すべき状態である「担送」、護送者が付き添うべき状態である「護送」、患者が自力で避難できる状態である「独歩」の三つの区分があり、それぞれを異なる色で表示することにより、救護区分を判別させることができる。また、特許文献２に記載の技術では、廊下灯の表面をカバーにより覆っている状態で救護区分表示部に対向するように救護区分表示窓をカバーに設けている。これにより、廊下灯の表面をカバーにより覆っている状態でも救護区分表示部を表示することができる。しかしながら、特許文献２に記載の技術では、救護区分表示部が患者氏名表示部の近傍に小さく設けられているだけなので、救護区分表示部が見難くなってしまうという問題があった。
【発明の開示】
【発明が解決しようとする課題】
【０００６】
本発明は、このような問題を解決するために成されたものであり、患者の氏名を隠した状態でも救護区分を見易く表示しつつ、患者の氏名を確認するためにカバーをスライドさせる量をできるだけ小さくすることを目的とする。
【課題を解決するための手段】
【０００７】
上述した課題を解決するために、本発明では、複数の患者氏名表示部を持つベース部と、患者氏名表示部に表示された患者の氏名を隠す第一の位置と患者の氏名を隠さない第二の位置との間をスライドし、少なくとも患者の氏名を隠すことができる大きさであり、救護区分を示す患者氏名表示部と同数の救護区分プレートと、救護区分プレートを第一の位置と第二の位置との間でスライドさせるレバー部と、救護区分プレートが第二の位置にある場合に、患者の氏名を隠さないように救護区分プレートとレバー部とを連結する連結部とを備え、ベース部は、救護区分プレートがスライドする方向に隣接している患者氏名表示部の間隔を少なくとも救護区分プレートの幅よりも大きくするようにしている。
【発明の効果】
【０００８】
上記のように構成した本発明によれば、患者の氏名を隠す救護区分プレートが患者氏名表示部と略同じ大きさに形成されるので、患者の氏名を隠した状態でも救護区分を見易く表示することができる。また、救護区分プレートをスライドさせて隠されている患者の氏名を表示する場合に、救護区分プレートの幅程度、換言すると、スライドする方向に隣接している患者氏名表示部にまで達しない程度に救護区分プレートがスライドさせられるので、患者の氏名を確認するためにスライドさせる量をできるだけ小さくすることができる。これにより、スライドさせた救護区分プレートや連結部、レバー部が他の機器に当たらなくなり、廊下灯や他の機器の設置位置を調整する必要がなくなる。
【発明を実施するための最良の形態】
【０００９】
以下、本発明の一実施形態を図面に基づいて説明する。図１は、本実施形態による廊下灯１の構成例を示す正面図であり、図２は、本実施形態による廊下灯１の構成例を示す断面図である。図１および図２に示すように、本実施形態による廊下灯１は、前面パネル２、ベース部３、ネームプレート４ａ〜４ｄ（特許請求の範囲の患者氏名表示部に該当する）、救護区分プレート５ａ〜５ｄ、連結部６、レバー部７、呼出表示灯８、復旧操作部９を備えて構成されている。
【００１０】
また、前面パネルは、第一の患者領域２ａ、第二の患者領域２ｂ、第三の患者領域２ｃ、第四の患者領域２ｄ、病室番号表示部２ｅ、第一の開口部２ｆ、第二の開口部２ｇを備えて構成されている。また、図１（ａ）は、救護区分プレート５ａ〜５ｄが第一の位置にある場合の廊下灯１の構成例を示す正面図であり、図１（ｂ）は、救護区分プレート５ａ〜５ｄが第二の位置にある場合の廊下灯１の構成例を示す正面図である。また、図２（ａ）は、救護区分プレート５ａ〜５ｄが第一の位置にある場合の廊下灯１の構成例を示すＡ−Ａ´間断面図であり、図２（ｂ）は、救護区分プレート５ａ〜５ｄが第二の位置にある場合の廊下灯１の構成例を示すＢ−Ｂ´間断面図である。
【００１１】
図１に示すように、前面パネル２は、廊下灯１が設置された病室の病床の数に応じて分割された患者領域を備えており、例えば、病床の数が４床である場合には、前面パネル２は、４つの患者領域２ａ〜２ｄを備えている。ここで、４つの患者領域２ａ〜２ｄは、病室内のレイアウトに基づいて決定されており、病室内を入口から見た場合に、左手前に位置するベッドに第一の患者領域２ａが対応し、左奥に位置するベッドに第二の患者領域２ｂが対応し、右奥に位置するベッドに第三の患者領域２ｃが対応し、右手前に位置するベッドに第四の患者領域２ｄが対応する。また、これらの患者領域２ａ〜２ｄの左上には、廊下灯１が設置された病室の番号を示す病室番号表示部２ｅがある。また、患者領域２ａ〜２ｄの右上には、レバー部８を操作するための第一の開口部２ｆがある。また、各患者領域２ａ〜２ｄには、それぞれネームプレート４ａ〜４ｄに対向する位置に第二の開口部２ｇがある。
【００１２】
図２に示すように、ベース部３は、患者が在室する病室の出入口近傍の廊下側に図中右部分の一方の面を取り付けている。また、ベース部３は、図中左部分の所定の位置にネームプレート４ａ〜４ｄを取り付けている。ここで、患者の氏名が「△△  △△」であるネームプレート４ａは、前面パネル２の第一の患者領域２ａに設けられた第二の開口部２ｇに対向する位置のベース部３上に取り付けられている。また、患者の氏名が「○○  ○○」であるネームプレート４ｂは、前面パネル２の第二の患者領域２ｂに設けられた第二の開口部２ｇに対向する位置のベース部３上に取り付けられている。また、患者の氏名が「××  ××」であるネームプレート４ｃは、前面パネル２の第三の患者領域２ｃに設けられた第二の開口部２ｇに対向する位置のベース部３上に取り付けられている。また、患者の氏名が「□□  □□」であるネームプレート４ｄは、前面パネル２の第四の患者領域２ｄに設けられた第二の開口部２ｇに対向する位置のベース部３上に取り付けられている。また、各ネームプレート４ａ〜４ｄでは、患者の氏名が中央部分に表示されており、患者の氏名の上下左右には余白部分が存在している。
【００１３】
救護区分プレート５ａ〜５ｄは、災害などの緊急時における患者の区分を示すプレートであり、図１および図２に示すように、前面パネル２とベース部３との間に設けられている。ここで、各救護区分プレート５ａ〜５ｄは、その前面に存在する第一の患者領域２ａ〜第四の患者領域２ｄに対応する患者の救護区分を示す。また、各救護区分プレート５ａ〜５ｄは、対応するネームプレート４ａ〜４ｄの患者の氏名の表示部分よりも少なくとも大きい。これにより、各救護区分プレート５ａ〜５ｄは、対応するネームプレート４ａ〜４ｄに表示されている患者の氏名を隠すことができる。また、本実施形態では、患者が担架などで搬送すべき状態である「担送」の場合には、救護区分プレート５ａ〜５ｄを赤色としている。また、患者が護送者の付き添いを必要とする状態である「護送」の場合には、救護区分プレート５ａ〜５ｄを黄色としている。また、患者が自力で避難できる状態である「独歩」の場合には、救護区分プレート５ａ〜５ｄを白色としている。
【００１４】
また、救護区分プレート５ａ〜５ｄは、連結部６によりレバー部７に連結されている。レバー部７は、前面パネル２に設けられた第一の開口部２ｆ内を上下方向にスライド可能であり、主に医療従事者により操作される。図１（ａ）の状態（断面は図２（ａ）の状態）である場合には、各救護区分プレート５ａ〜５ｄは、対応するネームプレート４ａ〜４ｄに表示されている患者の氏名を隠している。この状態で、医療従事者が患者の氏名を確認したい場合には、医療従事者は、レバー部７を上方にスライドさせる。このレバー部７のスライドに連動して連結部６および救護区分プレート５ａ〜５ｄは、前面パネル２とベース部３との間のスペースを上方向にスライドして、図１（ｂ）に示す状態（断面は図２（ｂ）の状態）となる。この状態（図１（ｂ）に示す状態）では、各ネームプレート４ａ〜４ｄに表示されている患者の氏名が前面パネル２の第二の開口部２ｇを介して視認可能となるため、医療従事者は、患者の氏名を確認することができる。また、この状態（図２（ｂ）に示す状態）で、医療従事者がレバー部７から手を離すと、救護区分プレート５ａ〜５ｄ、連結部６、レバー部７は、自重により下方にスライドして、図１（ａ）に示す状態に戻り、各ネームプレート４ａ〜４ｄに表示されている患者の氏名が救護区分プレート５ａ〜５ｄにより隠された状態となる。
【００１５】
ここで、連結部６および救護区分プレート５ａ〜５ｄがスライドする量は、レバー部７が第一の開口部２ｆ内をスライドする量と等しくなる。そのため、救護区分プレート５ａ〜５ｄが上限の位置に達した場合に、第二の開口部２ｇから一部が見えるようにしておけば、救護区分を常に視認することができる。また、連結部６は、救護区分プレート５ａ〜５ｄを左右方向から連結している。そのため、レバー部７を上方向にスライドさせた場合に、第一の患者領域２ａに対応する救護区分プレート５ａおよび第四の患者領域２ｄに対応する救護区分プレート５ｄを連結している連結部６の一部が、直上の第二の開口部２ｇを塞ぐことが無くなる。また、ベース部３は、救護区分プレート５ａ〜５ｄ、連結部６、レバー部７がスライドする方向に隣接しているネームプレート４ａおよびネームプレート４ｂの間隔を少なくとも救護区分プレート５ａの幅よりも大きくするようにしている。また、ベース部３は、救護区分プレート５ａ〜５ｄ、連結部６、レバー部７がスライドする方向に隣接しているネームプレート４ｃおよびネームプレート４ｄの間隔を少なくとも救護区分プレート５ｄの幅よりも大きくするようにしている。これにより、レバー部７を上方向にスライドさせた場合に、第一の患者領域２ａに対応する救護区分プレート５ａの一部が直上の第二の開口部２ｇを塞ぐことがなくなる。また、レバー部７を上方向にスライドさせた場合に、第四の患者領域２ｄに対応する救護区分プレート５ｄの一部が、直上の第二の開口部２ｇを塞ぐことが無くなる。
【００１６】
呼出表示灯８は、患者から呼出があった場合に点灯または点滅するものである。呼出表示灯８の点灯または点滅により、廊下に居る医療従事者は、呼出のある病室を特定することができる。復旧操作部９は、呼出を把握した医療従事者などにより操作され、呼出状態となった廊下灯１を含むナースコールシステムを復旧させるためのものである。復旧操作部９が操作されると、呼出表示灯８は消灯する。
【００１７】
以上詳しく説明したように、本実施形態によれば、ネームプレート４ａ〜４ｄを持つベース部３と、ネームプレート４ａ〜４ｄに表示された患者の氏名を隠す第一の位置と患者の氏名を隠さない第二の位置との間をスライドし、救護区分を示す救護区分プレート５ａ〜５ｄと、救護区分プレート５ａ〜５ｄを連結部６によって連結してスライドさせるレバー部７とを備え、ベース部３は、スライドする方向に隣接しているネームプレート４ａおよびネームプレート４ｂの間隔を少なくとも救護区分プレート５ａの幅よりも大きくするようにし、ネームプレート４ｃおよびネームプレート４ｄの間隔を少なくとも救護区分プレート５ｄの幅よりも大きくするようにしている。
【００１８】
これにより、患者の氏名を隠す救護区分プレート５ａ〜５ｄがネームプレート４ａ〜４ｄの患者の氏名の表示部分と略同じ大きさに形成されるので、患者の氏名を隠した状態でも救護区分を見易く表示することができる。また、救護区分プレート５ａ〜５ｄをスライドさせて隠されている患者の氏名を表示する場合に、救護区分プレート５ａ〜５ｄの幅程度、換言すると、スライドする方向に隣接しているネームプレート４ｂ、４ｃにまで達しない程度に救護区分プレート５ａ、５ｄがスライドさせられるので、患者の氏名を確認するためにスライドさせる量をできるだけ小さくすることができる。これにより、スライドさせた救護区分プレート５ａ〜５ｄや連結部６、レバー部７が他の機器に当たらなくなり、廊下灯１や他の機器の設置位置を調整する必要がなくなる。
【００１９】
なお、前述した実施形態では、連結部６やスライドした救護区分プレート５ａ〜５ｄが目立たないように第二の開口部２ｇを持つ前面パネル２を備えているが、これに限定されない。例えば、前面パネル２を透明としたり、前面パネル２を取り付けないようにしたりしても良い。これにより、廊下灯１の厚みを減らすことができる。ただし、前面パネル２を取り付けない場合には、レバー部７の上下方向を規制する部材や救護区分プレート５ａ〜５ｄが廊下灯１から脱落しないようにする部材が必要となる。
【００２０】
また、前述した実施形態では、救護区分プレート５ａ〜５ｄをスライドさせるようにしているが、これに限定されない。例えば、ネームプレートをスライドさせるようにしても良い。具体的には、救護区分プレートは、第二開口部に対向するように設置されている。そのため、レバー部がスライドしていない状態では、各第二の開口部から救護区分プレートが視認可能である。一方、ネームプレートは、救護区分プレートの前面下方に設置されている。レバー部がスライドしていない状態では、ネームプレートは、前面パネルにより隠された状態となっている。この状態で、レバー部を上方向にスライドすると、レバー部に連結されたネームプレートが上方にスライドし、救護区分プレートを隠すようにして第二の開口部上に現れる。これにより、医療従事者は、ネームプレートに表示されている患者の氏名を視認することができる。
【００２１】
また、前述した実施形態では、医療従事者がレバー部７から手を離すと、救護区分プレート５ａ〜５ｄ、連結部６、レバー部７は、自重により下方にスライドするようにしているが、これに限定されない。例えば、レバー部７を上方に固定しておくためのストッパを設けて、救護区分プレートが常時上方にスライドした状態となるようにしても良い。これにより、患者の氏名を常に表示したままとしたいケースに対応することができる。ここで、ストッパは、周知のストッパが使用される。
【００２２】
また、本実施形態では、廊下灯１により管理されるベッドの数を４床としているが、これに限定されない。例えば、救護区分プレートがスライドする方向にネームプレートが隣接して配置されていれば、２床であっても良いし、５床や６床などであっても良い。ただし、１床であっても、それに隣接してネームプレートが配置し得る状態であれば、本実施形態の廊下灯に含まれるのは勿論である。
【００２３】
その他、上記実施形態は、本発明を実施するにあたっての具体化の一例を示したものに過ぎず、これによって本発明の技術的範囲が限定的に解釈されてはならないものである。すなわち、本発明はその精神、またはその主要な特徴から逸脱することなく、様々な形で実施することができる。
【産業上の利用可能性】
【００２４】
本発明は、病院や介護施設などにおける出入口の近傍に設けられる廊下灯を用いたナースコールシステムに有用である。
【図面の簡単な説明】
【００２５】
【図１】本実施形態による廊下灯の構成例を示す正面図である。
【図２】本実施形態による廊下灯の構成例を示す断面図である。
【符号の説明】
【００２６】
１    廊下灯
２    前面パネル
２ａ    第一の患者領域
２ｂ    第二の患者領域
２ｃ    第三の患者領域
２ｄ    第四の患者領域
２ｅ    病室番号表示部
２ｆ    第一の開口部
２ｇ    第二の開口部
３    ベース部
４ａ，４ｂ，４ｃ，４ｄ    ネームプレート
５ａ，５ｂ，５ｃ，５ｄ    救護区分プレート
６    連結部
７    レバー部
【図１】
2008293386.tif 000003
【図２】
2008293386.tif 000004